(57)【要約】【課題】電話網等の回線交換網を介した音声通信の利点と、パケット網を介したＶｏＩＰ通信の利点を十分に活かした利便性の高い通信端末装置を提供すること。【解決手段】回線交換網を介して呼接続された相手先装置との間で音声信号をやりとりする一方、インターネット等のパケット網を介して呼接続された相手先装置との間でＩＰパケットをやりとりし、前記回線交換網または前記パケット網のいずれかの通信網を介した音声信号のやりとりにより所定の通信を行うことを特徴とする。【選択図】    図１
2004274372.tif 000002
【特許請求の範囲】
【請求項１】
通信網を介した相手先装置との音声信号のやりとりにより所定の通信を行う通信端末装置において、
インターネット等のパケット網を介してやりとりされるＩＰパケットと音声信号との相互変換を行うＶｏＩＰ手段と、電話網等の回線交換網または前記ＶｏＩＰ手段を介した前記パケット網との間で音声信号を入出力して前記所定の通信を行う音声信号通信手段とを備え、前記回線交換網を介して呼接続された相手先装置との間で音声信号をやりとりする一方、インターネット等のパケット網を介して呼接続された相手先装置との間でＩＰパケットをやりとりし、前記回線交換網または前記パケット網のいずれかの通信網を介した音声信号のやりとりにより前記所定の通信を行うことを特徴とする通信端末装置。
【請求項２】
通信網を介した相手先装置との音声信号のやりとりにより所定の通信を行う通信端末装置において、
電話網等の回線交換網を介して呼接続された相手先装置との間で音声信号をやりとりする回線交換網インターフェイス手段と、インターネット等のパケット網を介して呼接続された相手先装置との間でＩＰパケットをやりとりするパケット網インターフェイス手段と、そのパケット網インターフェイス手段を介してやりとりされるＩＰパケットと音声信号との相互変換を行うＶｏＩＰ手段と、前記回線交換網インターフェイス手段または前記ＶｏＩＰ手段との間で音声信号を入出力して前記所定の通信を行う音声信号通信手段とを備え、前記回線交換網または前記パケット網のいずれかの通信網を介した音声信号のやりとりにより前記所定の通信を行うことを特徴とする通信端末装置。
【請求項３】
前記音声信号通信手段と、前記回線交換網インターフェイス手段及び前記ＶｏＩＰ手段との間に介在し、前記音声信号通信手段から入出力される音声信号を前記回線交換網インターフェイス手段または前記ＶｏＩＰ手段のいずれか一方に切り換え接続する音声信号切り換え手段を更に備え、前記音声信号通信手段を前記回線交換網または前記パケット網のいずれか一方とのみ接続して通信を行うことを特徴とする請求項２に記載の通信端末装置。
【請求項４】
前記回線交換網または前記パケット網のいずれの通信網を使用するかの選択入力に応じて前記回線交換網または前記パケット網のいずれの通信網を使用して発呼するかを設定する発呼時使用通信網設定手段を更に備え、発呼時使用通信網設定手段により設定されたほうの通信網を選択して発呼することを特徴とする請求項１、２または３のいずれかに記載の通信端末装置。
【請求項５】
前記回線交換網を使用して通信を行う相手先についての宛先識別情報を予め登録する回線交換網使用宛先登録手段を更に備え、発呼時に指定された宛先識別情報が前記回線交換網使用宛先登録手段に登録されている場合には、前記回線交換網を選択して発呼することを特徴とする請求項１、２または３のいずれかに記載の通信端末装置。
【請求項６】
緊急の通信を要する相手先についての宛先識別情報を予め登録する緊急用宛先登録手段を更に備え、発呼時に指定された宛先識別情報が前記緊急用宛先登録手段に登録されている場合には、前記回線交換網を選択して発呼することを特徴とする請求項１、２または３のいずれかに記載の通信端末装置。
【請求項７】
前記パケット網を使用して通信を行う相手先についての宛先識別情報を予め登録するパケット網使用宛先登録手段を更に備え、発呼時に指定された宛先識別情報が前記パケット網使用宛先登録手段に登録されている場合には、前記パケット網を選択して発呼することを特徴とする請求項１、２または３のいずれかに記載の通信端末装置。
【請求項８】
発呼時に指定された宛先識別情報が、ＶｏＩＰ端末用に割り付けられたものであるか否かを判断するＶｏＩＰ端末宛先指定判断手段を更に備え、そのＶｏＩＰ端末宛先指定判断手段により、ＶｏＩＰ端末用に割り付けられた宛先識別情報が指定されたと判断された場合には、前記パケット網を選択して発呼することを特徴とする請求項１、２または３のいずれかに記載の通信端末装置。
【請求項９】
前記回線交換網からの着呼を検出する第１の着呼検出手段と、前記パケット網からの着呼を検出する第２の着呼検出手段とを備え、それら第１及び第２の着呼検出手段の検出結果に基づいて、いずれの通信網からの着呼かを判断して、その判断結果に応じて所定の着信動作を行うことを特徴とする請求項１，２，３、４，５，６、７または８のいずかれに記載の通信端末装置。
【請求項１０】
前記第１及び第２の着呼検出手段の検出結果に基づいて、着呼のあった通信網の種別に応じた着信音を鳴動させる通信網別着信音出力手段を更に備えたことを特徴とする請求項８に記載の通信端末装置。
【請求項１１】
前記音声信号通信手段は、入力される音声信号を可聴出力する一方、集音マイクからの音声信号を出力することにより、通話を行うものであることを特徴とする請求項１、２、３、４、５、６，７、８、９または１０のいずれかに記載の通信端末装置。
【請求項１２】
前記音声信号通信手段は、入力される音声信号を変調されたモデム信号として復調する一方、モデムにより変調した信号を音声信号として出力することにより、所定のプロトコルに基づいたファクシミリ通信を行うものであることを特徴とする請求項１、２、３、４、５、６，７、８、９または１０のいずれかに記載の通信端末装置。
【発明の詳細な説明】
【０００１】
【発明の属する技術分野】
本発明は、通信端末装置に関し、特に、インターネット等のパケット網を介したＶｏＩＰ通信や、電話網に代表される回線交換網を介した音声信号による通信を行う通信端末装置に関する。
【０００２】
【従来の技術】
携帯電話網を介した携帯電話や携帯情報端末による通信、電話網を介した、通話（会話による通信）、Ｇ３ファクシミリ通信等、これまで長年にわたり使用されてきた、回線交換網を介した通信は、通信中に一定の通信帯域が確保される点で、比較的無駄が多い反面、通信品質の点では優れている。
【０００３】
一方、近年のインターネットに代表されるパケット網（ＩＰ網）を介した通信の利用は、その低コスト性のために爆発的な勢いで増えており、将来的には一般加入者電話網等の回線交換網は、パケット網に置き換わることが予想される。
【０００４】
実際、一般加入者電話網等の回線交換網を介して従来行われてきた音声信号による通信、具体的にはは、通話や、モデム信号による、データ通信、ファクシミリ通信を、パケット化された音声信号の、パケット網を介したやりとりにより行おうとする、ＶｏＩＰ（Ｖｏｉｃｅ  ｏｖｅｒ  ＩＰ）通信が急速に普及しようとしている。
【０００５】
ＶｏＩＰ通信に関する通信規約としては、Ｈ．３２３（ＩＴＵ−Ｔ国際電気通信連合の勧告でＱｏＳ保証のないＩＰネットワーク上での音声、映像、データを通信するためのプロトコル体系）や、インターネット関連技術の標準化を進めているＩＥＴＦ（Ｉｎｔｅｒｎｅｔ  Ｅｎｇｉｎｅｅｒｉｎｇ  Ｔａｓｋ  Ｆｏｒｃｅ）による、インターネット電話用の呼設定プロトコル「ＳＩＰ」（ｓｅｓｓｉｏｎ  ｉｎｉｔｉａｔｉｏｎ  ｐｒｏｔｏｃｏｌ）が主なもので、それらの規約にのっとった、ＩＰ電話に代表されるＶｏＩＰ端末が、パケット網の通信コストの安さの利点から、かなり利用されるようになってきている。
【０００６】
【発明が解決しようとする課題】
しかし、ＶｏＩＰ通信は、音声もＩＰパケットという形で規格化することで、データと混在したパケット網上での送受信を可能とし、データ通信用設備と音声用通信回線の設備をデータ通信網に統合することが可能となる利点がある反面、パケットの消失や音声をパケット化するときの遅延の発生による信号劣化のために、通話・通信品質が比較的よくないという欠点がある。
【０００７】
また、ＩＰ電話ではいわゆる緊急の電話番号（１１０、１１９番）を使用することが出来ないという問題もある。
【０００８】
そのようなＶｏＩＰ通信の問題点は、インターネット等のパケット網の整備が進めば将来的には解消されるであろうが、回線交換網がパケット網に完全に置き換わるまでには、一般加入者電話網等の回線交換網とインターネット等のパケット網が共存する過度期も長く続くであろうと予想される。
【０００９】
以上説明したように、従来の電話網などの回線交換網を介した音声通信には、安定性、確実性の利点がある反面、通信費が高いという欠点があり、インターネット等のパケット網を介したＶｏＩＰ通信には不安定性、不確実性の欠点がある反面、通信費が安いという利点があり、回線交換網を介した音声通信、または、ＶｏＩＰ通信のいずれか一方の形態の通信のみに対応した通信端末装置では、現在利用可能な音声通信形態の利点を十分活かし切れていないという問題点があった。
【００１０】
本発明はかかる事情に鑑みてなされたものであり、電話網等の回線交換網を介した音声通信の利点と、パケット網を介したＶｏＩＰ通信の利点を十分に活かした利便性の高い通信端末装置を提供することを目的とする。
【００１１】
【課題を解決するための手段】
請求項１に記載の通信端末装置は、通信網を介した相手先装置との音声信号のやりとりにより所定の通信を行う通信端末装置において、インターネット等のパケット網を介してやりとりされるＩＰパケットと音声信号との相互変換を行うＶｏＩＰ手段と、電話網等の回線交換網または前記ＶｏＩＰ手段を介した前記パケット網との間で音声信号を入出力して前記所定の通信を行う音声信号通信手段とを備え、前記回線交換網を介して呼接続された相手先装置との間で音声信号をやりとりする一方、インターネット等のパケット網を介して呼接続された相手先装置との間でＩＰパケットをやりとりし、前記回線交換網または前記パケット網のいずれかの通信網を介した音声信号のやりとりにより前記所定の通信を行うことを特徴とする。
【００１２】
請求項２に記載の通信端末装置は、通信網を介した相手先装置との音声信号のやりとりにより所定の通信を行う通信端末装置において、電話網等の回線交換網を介して呼接続された相手先装置との間で音声信号をやりとりする回線交換網インターフェイス手段と、インターネット等のパケット網を介して呼接続された相手先装置との間でＩＰパケットをやりとりするパケット網インターフェイス手段と、そのパケット網インターフェイス手段を介してやりとりされるＩＰパケットと音声信号との相互変換を行うＶｏＩＰ手段と、前記回線交換網インターフェイス手段または前記ＶｏＩＰ手段との間で音声信号を入出力して前記所定の通信を行う音声信号通信手段とを備え、前記回線交換網または前記パケット網のいずれかの通信網を介した音声信号のやりとりにより前記所定の通信を行うことを特徴とする。
【００１３】
請求項３に記載の通信端末装置は、請求項２に記載の通信端末装置において、前記音声信号通信手段と、前記回線交換網インターフェイス手段及び前記ＶｏＩＰ手段との間に介在し、前記音声信号通信手段から入出力される音声信号を前記回線交換網インターフェイス手段または前記ＶｏＩＰ手段のいずれか一方に切り換え接続する音声信号切り換え手段を更に備え、前記音声信号通信手段を前記回線交換網または前記パケット網のいずれか一方とのみ接続して通信を行うことを特徴とする。
【００１４】
請求項４に記載の通信端末装置は、請求項１、２または３のいずれかに記載の通信端末装置において、前記回線交換網または前記パケット網のいずれの通信網を使用するかの選択入力に応じて前記回線交換網または前記パケット網のいずれの通信網を使用して発呼するかを設定する発呼時使用通信網設定手段を更に備え、発呼時使用通信網設定手段により設定されたほうの通信網を選択して発呼することを特徴とする。
【００１５】
請求項５に記載の通信端末装置は、請求項１、２または３のいずれかに記載の通信端末装置において、前記回線交換網を使用して通信を行う相手先についての宛先識別情報を予め登録する回線交換網使用宛先登録手段を更に備え、発呼時に指定された宛先識別情報が前記回線交換網使用宛先登録手段に登録されている場合には、前記回線交換網を選択して発呼することを特徴とする。
【００１６】
請求項６に記載の通信端末装置は、請求項１、２または３のいずれかに記載の通信端末装置において、緊急の通信を要する相手先についての宛先識別情報を予め登録する緊急用宛先登録手段を更に備え、発呼時に指定された宛先識別情報が前記緊急用宛先登録手段に登録されている場合には、前記回線交換網を選択して発呼することを特徴とする。
【００１７】
請求項７に記載の通信端末装置は、請求項１、２または３のいずれかに記載の通信端末装置において、前記パケット網を使用して通信を行う相手先についての宛先識別情報を予め登録するパケット網使用宛先登録手段を更に備え、発呼時に指定された宛先識別情報が前記パケット網使用宛先登録手段に登録されている場合には、前記パケット網を選択して発呼することを特徴とする。
【００１８】
請求項８に記載の通信端末装置は、請求項１、２または３のいずれかに記載の通信端末装置において、発呼時に指定された宛先識別情報が、ＶｏＩＰ端末用に割り付けられたものであるか否かを判断するＶｏＩＰ端末宛先指定判断手段を更に備え、そのＶｏＩＰ端末宛先指定判断手段により、ＶｏＩＰ端末用に割り付けられた宛先識別情報が指定されたと判断された場合には、前記パケット網を選択して発呼することを特徴とする。
【００１９】
請求項９に記載の通信端末装置は、請求項１，２，３、４，５，６、７または８のいずかれに記載の通信端末装置において、前記回線交換網からの着呼を検出する第１の着呼検出手段と、前記パケット網からの着呼を検出する第２の着呼検出手段とを備え、それら第１及び第２の着呼検出手段の検出結果に基づいて、いずれの通信網からの着呼かを判断して、その判断結果に応じて所定の着信動作を行うことを特徴とする。
【００２０】
請求項１０に記載の通信端末装置は、請求項９に記載の通信端末装置において、前記第１及び第２の着呼検出手段の検出結果に基づいて、着呼のあった通信網の種別に応じた着信音を鳴動させる通信網別着信音出力手段を更に備えたことを特徴とする。
【００２１】
請求項１１に記載の通信端末装置は、請求項１、２、３、４、５、６，７、８、９または１０のいずれかに記載の通信端末装置において、前記音声信号通信手段は、入力される音声信号を可聴出力する一方、集音マイクからの音声信号を出力することにより、通話を行うものであることを特徴とする。
【００２２】
請求項１２に記載の通信端末装置は、請求項１、２、３、４、５、６，７、８、９または１０のいずれかに記載の通信端末装置において、前記音声信号通信手段は、入力される音声信号を変調されたモデム信号として復調する一方、モデムにより変調した信号を音声信号として出力することにより、所定のプロトコルに基づいたファクシミリ通信を行うものであることを特徴とする。
【００２３】
【発明の実施の形態】
以下、添付図面を参照しながら、本発明の実施の形態を詳細に説明する。
【００２４】
先ず、図１に、本発明の実施の形態に係る通信端末装置のブロック構成について示す。
【００２５】
同図において、通信端末装置１は、具体的には、電話、ＩＰ電話、インターネット電話、ファクシミリ装置、インターネットＦＡＸ，携帯電話、ＰＨＳ、ＰＤＡなどであり、ＣＰＵ２、ＲＯＭ３、ＲＡＭ４、操作表示部５、音声信号通信手段７、網インターフェイス手段８、及び、システムバス９により構成されている。
【００２６】
ＣＰＵ２は、ＲＯＭ３に書き込まれた制御プログラムに従って、ＲＡＭ４を作業領域として使用しながら、装置各部を制御するマイクロコンピュータである。
【００２７】
ＲＯＭ３は、前述したように、システム制御部２が上記装置各部を制御するための制御プログラムが記憶されていると共に、装置動作に必要な各種データが記憶されているリードオンリメモリである。
【００２８】
ＲＡＭ４は、前述したようにシステム制御部２の作業領域として使用されると共に、装置動作に関連してランダムアクセスメモリである。また、ＲＡＭ４は、図示しないバックアップ回路によりバックアップされており、装置動作に必要な各種データを記憶する。
【００２９】
操作表示部５は、ユーザによる各種操作入力を受け入れる一方、装置の動作状態や各種メッセージを表示するものである。
【００３０】
Ｄ／Ａ変換器６は、システムバス９を介して入力されるデジタルデータをアナログ変換するものである。そのＤ／Ａ変換器６からのアナログ信号はアンプ回路６ａを介してスピーカ６ｂにより可聴出力される。
【００３１】
音声信号通信手段７は、送信信号Ｓを出力する一方、受信信号Ｒを入力し、音声信号による通信を行うものである。
【００３２】
音声信号通信手段７が行う通信内容としては、具体的には、通話、モデム信号のやりとりによるファクシミリ通信やデータ通信がある。
【００３３】
音声信号通信手段７から入出力される送信信号Ｓ及び受信信号Ｒは、網インターフェイス手段８を介して、電話網や携帯電話網等の回線交換網２０と、インターネット等のパケット網３０に送受信され、相手装置との音声信号による通信が行われる。
【００３４】
網インターフェイス手段８は、音声信号通信手段７からの送信信号Ｓ、受信信号Ｒの回線交換網２０、パケット網３０への接続の制御や、発呼、着呼の制御を行うものである。
【００３５】
システムバス９は、装置各部が信号をやりとりするための信号ラインである。
【００３６】
図２に、図１に示した通信端末装置１の具体例として、音声信号により、通話による通信を行う通信端末装置１ａについて示す。
【００３７】
同図において、ＣＰＵ２，ＲＯＭ３、ＲＡＭ４、操作表示部５、Ｄ／Ａ変換器６、アンプ回路６ａ、スピーカ６ｂ、網インターフェイス手段８、システムバス９は、図１に示した通信端末装置１と同一構成であるため、説明を省略する。
【００３８】
ハンドセット部７ａは、図１の音声信号通信手段７に対応するもので、網インターフェイス手段８から入力される受信信号Ｒを増幅回路７ａａを介してスピーカ７ａｂで可聴出力する一方、マイク７ａｃから入力される音声信号を増幅回路７ａｄを介して送信信号Ｓとして網インターフェイス手段８に出力するものである。
【００３９】
また音声信号を増幅したりあるいは減衰することにより音量を調整したり、音声信号の周波数特性を変化させることにより音質を改善する回路や、また送話器から受話器への音の回り込みを制御するいわゆる側音制御回路をハンドセット部７ａに含めてもよいのはいうまでもない。
【００４０】
フック状態検出部１０は、ハンドセット部７ａのオンフック、オフフック状態を検出してシステムバス９を介してＣＰＵ２に通知するためのもので、ハンドセット７ａのオンフック、オフフックに応じてＯＮ／ＯＦＦするスイッチ等による構成される。
【００４１】
図３に、図１に示した通信端末装置１の具体例として、音声信号により、ファクシミリ通信を行う通信端末装置１ｂについて示す。
【００４２】
同図において、ＣＰＵ２，ＲＯＭ３、ＲＡＭ４、操作表示部５、Ｄ／Ａ変換器６、アンプ回路６ａ、スピーカ６ｂ、網インターフェイス手段８、システムバス９は、図１に示した通信端末装置１と同一構成であるため、説明を省略する。
【００４３】
スキャナ５は、３．８５本／ｍｍ、７．７本／ｍｍ、１５．４本／ｍｍ等の所定の読み取り線密度で原稿画像を読み取って画像データを得るためのものである。
【００４４】
プロッタ６は、画情報を、その線密度に応じて記録出力するためのものである。
【００４５】
符号化復号化部８は、送信画像データを、ファクシミリに適合する、ＭＨ符号化方式、ＭＲ符号化方式、ＭＭＲ符号化方式等の所定の符号化方式で符号化圧縮する一方、受信画像データをＭＨ符号化方式、ＭＲ符号化方式、ＭＭＲ符号化方式等に対応する所定の復号化方式で復号伸長するものである。
【００４６】
モデム７ｂは、図１の音声信号通信手段７に対応するもので、網インターフェイス手段８から入力される受信信号Ｒを、変調されたモデム信号として受信して元のデータに復調する一方、送信データをモデム信号に変調して送信信号Ｓとして網インターフェイス手段８に出力するものである。モデム７ｂは、ファクシミリモデム機能を備え、伝送手順信号をやりとりするための低速モデム機能（Ｖ．２１モデム）、および、おもに画情報をやりとりするための高速モデム機能である、Ｖ．１７、Ｖ．３３、Ｖ．３４、Ｖ．２９、Ｖ．２７ｔｅｒ等のモデム機能を備える。
【００４７】
図４に、通信端末装置１，１ａ、１ｂの網インターフェイス手段８として適用される、網インターフェイス手段８のブロック構成について示す。
【００４８】
同図において、網インターフェイス手段８は、回線交換網インターフェイス手段８１、パケット網インターフェイス手段８２、及び、ＶｏＩＰ手段８３により構成されている。また、回線交換網インターフェイス手段８１、パケット網インターフェイス手段８２、及び、ＶｏＩＰ手段８３は、システムバス９に接続されＣＰＵ２との間で情報のやりとりを行う。
【００４９】
回線交換網インターフェイス手段８１は、接続される回線交換網２０に適合するインターフェイスであり、発呼・着呼の呼制御等を行うものである。回線交換網インターフェイス手段８１は、接続される回線交換網２０が携帯電話網やＰＨＳ網である場合には基地局と無線で通信するための無線インターフェイスとして構成されるものである。
【００５０】
パケット網インターフェイス手段８２は、インターネット等のパケット網３０とのパケットのやりとりを制御するものである。パケット網インターフェイス手段８２が接続されるパケット網３０は、具体的には、ＬＡＮまたはＷＡＮあるいはインターネットなどのＩＰネットワーク等であり、更に詳細にはイ一サネット、トークンリングなどに代表されるＬＡＮ用の物理媒体（実際に接続する製品としてはルータ、ターミナルアダプタ、ハブなどがある）に接続される。また、無線用ＬＡＮも含む。
【００５１】
また、パケット網３０は、もっとも一般的なのはインターネットで用いられるＩＰ（インターネットパケット）網であるが、パケット網３０としては、それに限らず、セルリレー網、ＦＲ網（フレームリレー網）等のその他のパケット網も適用可能であるのはいうまでもなく、また、パケット網３０に接続されるまでの、いわゆるアクセス回線の形態により本発明は限定されるものではなく、デジタル回線網、専用線、光ファイバー（ＦＴＴＨ）、ＸＤＳＬ、ＩＳＤＮ，無線通信網、衛星通信網、光ケーブル等の多様な接続形態が適用できる。
【００５２】
ＶｏＩＰ（Ｖｏｉｃｅ  ｏｖｅｒ  ＩＰ）手段８３は、音声信号とパケットの相互変換や、パケット網３０を介した発呼・着呼の呼制御等を行うものである。
【００５３】
送信信号Ｓは、回線交換網インターフェイス手段８１及びＶｏＩＰ手段８３に共通に入力され、また、回線交換網インターフェイス手段８１及びＶｏＩＰ手段８３からは受信信号Ｒが共通に出力される。
【００５４】
送信信号Ｓは、回線交換網インターフェイス手段８１を介して電話網等の回線交換網２０に出力されるとともに、電話網等の回線交換網２０から入力された受信信号Ｒは、回線交換網インターフェイス手段８１を介して入力される一方、送信信号Ｓは、ＶｏＩＰ手段８３によってＩＰパケットに変換され、その変換されたパケットはパケット網インターフェイス手段８２を介してパケット網３０へ出力されるとともに、パケット網から入力されたパケットはパケット網インターフェイス手段８２を介してＶｏＩＰ手段８３に入力され、入力されたパケットはＶｏＩＰ手段８３によって音声信号に変換され、変換された音声信号は受信信号Ｒとして入力される。
【００５５】
図５に、通信端末装置１，１ａ、１ｂの網インターフェイス手段８として適用される、網インターフェイス手段８の、図４とは別のブロック構成について示す。
【００５６】
同図において、網インターフェイス手段８は、回線交換網インターフェイス手段８１、パケット網インターフェイス手段８２、ＶｏＩＰ手段８３、及び、音声信号切り換え手段８４により構成されている。また、回線交換網インターフェイス手段８１、パケット網インターフェイス手段８２、及び、ＶｏＩＰ手段８３は、システムバス９に接続されＣＰＵ２との間で情報のやりとりを行う。また、音声信号切り換え手段８４は、システムバス９を介してＣＰＵ２により切り換え制御される。
【００５７】
回線交換網インターフェイス手段８１、パケット網インターフェイス手段８２、及び、ＶｏＩＰ手段８３は、図４に示したものと同一構成であるため、重複する説明は省略する。
【００５８】
音声信号切り換え手段８４は、送信信号Ｓ及び受信信号Ｒを、回線交換網インターフェイス手段８１またはＶｏＩＰ手段８３のいずれか一方に切り換え接続するためのものである。音声信号切り換え手段８４としては、電磁リレーに代表されるメカニカルリレーを使用してもよいし、半導体リレーやアナログスイッチに代表される半導体タイプのリレーを使用してもよい。
【００５９】
音声信号切り換え手段８４を配設したことで、回線交換網２０との間で入出力される送信信号Ｓ、受信信号Ｒと、パケット網３０との間で入出力される送信信号Ｓ、受信信号Ｒとが明確に分離されるため、互いの通信網からのノイズの影響を受けない安定した通信が可能となる。網インターフェイス手段８の構成としては、図４に示したものよりも、図５に示したもののほうが好ましいため、以下の説明では、通信端末装置１、１ａ、１ｂの網インターフェース部８としては、図５に示した方法の構成のものを適用するものとする。
【００６０】
図６に、図４または図５に示した網インターフェイス手段８のＶｏＩＰ手段８３として適用される、ＶｏＩＰ手段８３のブロック構成について示す。
【００６１】
図６において、ＶｏＩＰ手段８３は、ＩＴＵ−Ｔ勧告Ｈ．３２３等やＳＩＰ等の所定のプロトコルに基づいた呼制御や音声パケットのやりとりを行うものであり、呼制御手段８３ａは、Ｑ．９３１手順などの所定の呼設定手順によりパケット網インターフェイス手段８２を介して発呼して呼接続したり、着呼に応答して呼接続したりして、相手装置との間の呼を確立するためのものである。なお、呼制御手段８３ａは、請求項９に記載の発明における「第２の着呼検出手段」に相当する。
【００６２】
音声パケット処理手段８３ｂは、パケット網インターフェイス手段８２を介してパケット網３０から受信した、音声信号を内容とするパケットから音声信号データを取り出して音声ＣＯＤＥＣ手段８３に渡す一方、音声ＣＯＤＥＣ手段８３から渡された音声信号データをパケット化してパケット網インターフェイス手段８２を介してパケット網３０に送出するものである。
【００６３】
音声ＣＯＤＥＣ手段８３は、送信信号ＳをＡ／Ｄ変換してデジタルデータに変換すると共に、Ｇ．７２３．１（６．３Ｋｂｐｓ）、Ｇ．７２９（８Ｋｂｐｓ）等の所定の符号化方式で符号化圧縮して、音声信号データとして音声パケット処理手段８３ｂに渡す一方、音声パケット処理手段８３ｂから渡される受信音声信号データを復号伸長してもとのデジタルデータに戻すとともにＤ／Ａ変換して受信信号Ｒとして出力するものである。
【００６４】
図７に、図４または図５に示した網インターフェイス手段８の回線交換網インターフェイス手段８１として適用される、回線交換網インターフェイス手段８１のブロック構成について示す。
【００６５】
図７に示す回線交換網インターフェイス手段８１は、接続される回線交換網２０が電話網である場合のもので、いわゆるＮＣＵの構成となっている。
【００６６】
２線４線変換手段８１ａは、送信信号Ｓと受信信号Ｒを送受信信号に合成する一方、送受信信号を送信信号Ｓと受信信号Ｒに分離するもので、ハイブリッドトランス等により構成される。
【００６７】
回線開閉手段８２ｂは、回線の閉結・開放を行う、機械的なリレー等により構成されるもので、接続される電話網の加入者回線がいわゆるダイヤル回線の場合には、宛先電話番号をダイヤルパルスにより加入者交換機に通知するためにも使用される。回線開閉手段８２ｂの閉結・開放は、システムバス９を介してＣＰＵ２により制御される。
【００６８】
着信検出手段８１ｃは、回線交換網（電話網）からの呼び出し信号を検出することにより、着信（着呼）を検出するためのもので、フォトカプラ等により構成されるものである。着信検出手段８１ｃにより検出される着信状態は、システムバス９を介してＣＰＵ２に通知される。着信検出手段８１ｃの配置位置は、回線交換網インターフェイス手段８１内に限定されるものではなく、別ブロックとして構成してもよいのは当然である。なお、着信検出手段８１ｃは、請求項９に記載の発明における「第１の着呼検出手段」に相当する。
【００６９】
ＤＴＭＦ信号発生部８１ｄは、接続される電話網の加入者回線がいわゆるプッシュ回線の場合に宛先電話番号をＤＴＭＦ信号により加入者交換機に通知するためのものである。
【００７０】
図８に、通信端末装置１，１ａ、１ｂの操作表示部５として適用される、操作表示部５のロック構成について示す。
【００７１】
図８において、同図において、テンキー５ａは、数字や「＃」「＊」の各記号を入力するためのものである。［Ｙｅｓ］キー５ｂは、表示器５ｉに表示された内容に対して肯定的な操作入力を行ためのものである。［Ｎｏ］キー５ｃは、表示器５ｉに表示された内容に対して否定的な操作入力を行うためのものである。
【００７２】
［ストップ］キー５ｄは、装置動作の強制的な中断を指示したりするためのものである。［スタート］キー５ｅは、各種装置動作の開始を指示するためのものである。［ファンクション］キー５ｆは、その押下操作と、テンキー５ａによる番号入力操作との組み合わせにより、各種設定・登録機能を呼び出したりするためのものである。
【００７３】
矢印キー群５ｇは、［↑］キー５ｇｕ、［↓］キー５ｇｄ、［→］キー５ｇｒ、及び、［←］キー５ｇｌにより構成され、表示器５ｉに表示され選択項目のうちの特定の項目を選択したり、表示器５ｉの表示を上下左右にスクロールさせたりするためのものである。［短縮］キー５ｊは、２桁の番号で宛先指定できる短縮宛先指定のためのものである。キーボード部５ｈは、アルファベットの宛先名称文字列列や「仮名」キーとの組合せ操作によりカタカナの宛先名称文字列等の入力を行うためのものである。［網選択モード］キー５ｋは、発呼時に使用する網の選択モードを設定するためのものである。
【００７４】
インジケータランプ５ｌ、５ｍ、及び、５ｎは、それぞれ、［網選択モード］キー５ｋにより設定される、「電話網（回線交換網）」、「パケット網」または「自動」の各モードのうちのいずれのモードが選択されているかを示すためのもので、図においては、「電話網（回線交換網）」のモードが選択されている状態を示している。
【００７５】
図９に、通信端末装置１，１ａ、１ｂのＲＯＭ３に記憶される、本発明に特徴的なの記憶内容について示す。
【００７６】
同図において、ＲＯＭ３には、第１着信音データ３ａと、第２着信音データ３ｂとが記憶されている。第１着信音データ３ａと、第２着信音データ３ｂとは、可聴再生した場合にお互いに区別可能な、異なるパターンのデータとして記憶されている。
【００７７】
図１０に、通信端末装置１，１ａ、１ｂのＲＡＭ４に記憶される、本発明に特徴的なの記憶内容について示す。
【００７８】
同図において、ＲＡＭ４には、緊急用宛先登録テーブル４ａ、一般用宛先登録テーブル４ｂ、及び、電話網（回線交換網）使用宛先登録テーブル４ｃが予め登録され、記憶されている。なお、緊急用宛先登録テーブル４ａは、「緊急用宛先登録手段」に相当する。また、電話網（回線交換網）使用宛先登録テーブル４ｃは、「回線交換網使用宛先登録手段」に相当する。
【００７９】
それらの各テーブルの登録は、例えば、図８に示した操作表示部５の［ファンクション］キー５ｆの押下とテンキー５ａによる番号の入力の組合せ操作により、各登録機能を呼び出して、表示器５ｉを用いて対話的に行うことができるが、それらの各テーブルの登録方法により本発明は限定されるものではない。
【００８０】
次に、通信端末装置１、１ａ、１ｂにおいて行われる、網選択モード設定処理手順について、図１１を参照して説明する。なお、図１１の処理手順は、「発呼時使用通信網設定手段」に相当する処理を含む。
【００８１】
同図において、ＣＰＵ２は、先ず、変数Ｍに値０を代入する（処理Ｓ１０１）。値０は、「自動」モードに対応している。
【００８２】
そして、網選択モードキーが押下されるかを監視している（判断Ｓ１０２のＮｏのループ）。網選択モードキーが押下されると（判断Ｓ１０２のＹｅｓ）、変数Ｍの値が０の場合は（判断Ｓ１０３のＹｅｓ）、変数Ｍに値１（電話網）を代入して（処理Ｓ１０４）、判断１０２に戻る。変数Ｍの値が０でない場合に（判断Ｓ１０３のＮｏ）、さらに、変数Ｍの値が１の場合は（判断Ｓ１０５のＹｅｓ）、変数Ｍに値２（パケット網）を代入して判断１０２に戻る。変数Ｍの値が１でない（Ｍ＝２）場合は（判断Ｓ１０５のＮｏ）、変数Ｍに値０（自動）を代入して判断１０２に戻る。
【００８３】
これにより、ユーザの所望すること所に応じて設定される網選択モードの現在の設定状態が、変数Ｍの値としてＲＡＭ４に記憶されることになる。
【００８４】
次に、通信端末装置１ａにおける発呼処理手順について図１２を参照して説明する。
【００８５】
同図において、通信端末装置１ａのＣＰＵ２は、フック状態検出部１０により、ハンドセット部７ａのオフフック、つまり、ユーザによる発呼の意思表示が検出されるかを監視している（判断Ｓ２０１のＮｏのループ）。
【００８６】
ハンドセット部７ａがオフフックされると（判断Ｓ２０１のＹｅｓ）、
宛先決定処理を行って（処理Ｓ２０２）、発呼宛先を決定し、使用網決定処理を行って（処理Ｓ２０３）、発呼時に使用する通信網を電話網（回線交換網）２０またはパケット網３０のいずれかに決定する。
【００８７】
そして、処理２０３で決定した網の側に音声信号切り換え手段８４を切り換え、処理２０２で決定した宛先に、処理２０３で決定した網を介して発呼し（処理Ｓ２０５）、ハンドセット部７ａによる通話（通信）を行う（処理Ｓ２０６）。
【００８８】
次に、通信端末装置１ｂにおける発呼処理手順について図１３を参照して説明する。
【００８９】
同図において、通信端末装置１ｂのＣＰＵ２は、スキャナ１１に原稿がセットされるか、つまり、ユーザによる発呼の意思表示が検出されるかを監視している（判断Ｓ３０１のＮｏのループ）。
【００９０】
原稿がセットされると（判断Ｓ３０１のＹｅｓ）、宛先決定処理を行って（処理Ｓ３０２）、発呼宛先を決定し、使用網決定処理を行って（処理Ｓ３０３）、発呼時に使用する通信網を電話網（回線交換網）２０またはパケット網３０のいずれかに決定する。
【００９１】
そして、処理３０３で決定した網の側に音声信号切り換え手段８４を切り換え、処理３０２で決定した宛先に、処理３０３で決定した網を介して発呼し（処理Ｓ３０５）、モデム７ｂによるファクシミリ通信を行う（処理Ｓ３０６）。
【００９２】
なお、通信端末装置１についても、通信端末装置１ａにおける図１２の発呼処理手順または、通信端末装置１ｂにおける図１３の発呼処理手順と同様の発呼処理手順を適用できる。つまり、ハンドセット部７ａのオフフックや、スキャナ１１への原稿セットのような、発呼の契機となる入力、例えば、携帯電話であれば「通話」ボタンの押下等を検出して、同様の発呼処理手順を開始することができる。
【００９３】
次に、図１２の処理Ｓ２０２、または、図１３の処理Ｓ３０２として行われる、宛先決定処理の具体的な処理手順について、図１４を参照して説明する。
【００９４】
同図において、先ず、表示器５ｉに、図１５の表示Ｄ０１ａ、ｂ、ｃに示すような、「宛先を指定して下さい」との宛先指定を促すメッセージを表示すると共に（処理Ｓ４０１）、入力されるアルファベットまたは仮名の文字列、番号列、または短縮番号（短縮キー５ｊの押下に続けて入力される番号）を記憶する処理を（処理Ｓ４０２）、宛先入力完了を示す［Ｙｅｓ］キー５ｂが押下されるまで行う（判断Ｓ４０３のＮｏのループ）。
【００９５】
処理Ｓ４０１では、短縮キー５ｊが押下と、それに続いて番号が入力されると、図１５に示す表示Ｄ０１ａ示す形態の表示（［短縮］＋入力された番号の表示）を表示器５ｉに表示する。または、処理Ｓ４０１では、番号列が入力されると、図１５に示す表示Ｄ０１ｂ示す形態の表示（入力された番号列をそのまま表示）を表示器５ｉに表示する。処理Ｓ４０１では、文字列が入力されると、図１５に示す表示Ｄ０１ｃ示す形態の表示（入力された文字列をそのまま表示）を表示器５ｉに表示する。
【００９６】
そのようにして、短縮番号、名称、または、直接の番号入力により宛先が指定された上で、［Ｙｅｓ］キー５ｂが押下されると（判断Ｓ４０３のＹｅｓ）、
その指定された宛先を、図１０に示したようにＲＡＭ４に記憶された緊急用宛先登録テーブル４ａと照合する。
【００９７】
ここで、緊急用宛先登録テーブル４ａの具体的な内容について図１６に示す。
【００９８】
同図に示すように、テーブル４ａは、各管理番号に対応付けられた、「短縮番号」、「宛先識別情報」、及び、「宛先名称文字列」により構成されている。
【００９９】
なお、緊急用宛先登録テーブル４ａに登録されるのは、警察への通報（１１０）、救急への通報（１１９）や契約している警備会社等の確実に通話、通信できる必要のある宛先である。また、一人暮らしの老人宅から、離れて暮らす家族宅へ緊急通報のファクシミリを送信するような場合に、その家族宅のファクシミリ番号を登録しておくようなことも考えられる。
【０１００】
さて、処理４０２における宛先入力が、短縮番号による入力であった場合には、処理４０４において、「短縮番号」と照合される。
【０１０１】
処理４０２における宛先入力が、番号列による入力であった場合には、処理４０４において、「宛先識別情報」と照合される。
【０１０２】
処理４０２における宛先入力が、文字列による入力であった場合には、処理４０４において、「宛先名称文字列」と照合される。
【０１０３】
処理４０４の照合の結果、緊急用宛先登録テーブル４ａに登録されている宛先が指定された場合には（判断Ｓ４０５のＹｅｓ）、テーブル４ａにおいて対応する宛先識別情報を発呼すべき宛先として決定する（処理Ｓ４０６）。そして、緊急フラグＦｅに値１にセットする（処理Ｓ４０７）。
【０１０４】
処理４０４の照合の結果、緊急用宛先登録テーブルに特に登録されていない宛先が指定された場合には（判断Ｓ４０５のＮｏ）、さらに、図１０に示したようにＲＡＭ４に記憶されている一般用宛先登録テーブル４ｂと照合する（処理Ｓ４０８）。
【０１０５】
ここで、一般用宛先登録テーブル４ｂの具体的な内容について図１７に示す。
【０１０６】
同図に示すように、テーブル４ｂは、各管理番号に対応付けられた、「短縮番号」、「宛先識別情報」、及び、「宛先名称文字列」により構成されている。
【０１０７】
なお、一般用宛先登録テーブル４ｂは、ユーザの宛先指定の便宜を図るためのもので、所望の宛先を、短縮番号による指定、名称による指定、または宛先識別情報（電話番号またはＩＰアドレス）の番号列による直接指定のいずれかの方法で行えるようにするためのものである。
【０１０８】
また、さきほど説明した緊急用宛先登録テーブル４ａの場合も同様であるが、発呼宛先の指定形態としては、本実施の形態の場合のような、直接の電話番号、ＩＰアドレスの入力、または、名称や短縮番号による間接的な指定の他に、タッチパネルの押下、アイコンのクリック等による指定形態も考えられ、本発明は、そのような発呼宛先の指定形態により限定されるものではない。
【０１０９】
さて、処理４０２における宛先入力が、短縮番号による入力であった場合には、処理４０８において、「短縮番号」と照合される。
【０１１０】
処理４０２における宛先入力が、番号列による入力であった場合には、処理４０８において、「宛先識別情報」と照合される。
【０１１１】
処理４０２における宛先入力が、文字列による入力であった場合には、処理４０８において、「宛先名称文字列」と照合される。
【０１１２】
処理４０８の照合の結果、一般用宛先登録テーブル４ｂに登録されている宛先が指定された場合には（判断Ｓ４０９のＹｅｓ）、テーブル４ｂにおいて対応する宛先識別情報を発呼すべき宛先として決定する（処理Ｓ４１０）。そして、緊急フラグＦｅに値０をセットする（処理Ｓ４１１）。
【０１１３】
処理４０８の照合の結果、一般用宛先登録テーブル４ｂに特に登録されていない宛先が指定された場合には（判断Ｓ４０９のＮｏ）、宛先の電話番号またはＩＰアドレスが直接入力されたものとして、入力された宛先識別情報を発呼すべき宛先として決定する（処理Ｓ４１２）。そして、緊急フラグＦｅに値０をセットする（処理Ｓ４１３）。
【０１１４】
以上の宛先決定処理により、発呼すべき宛先識別情報が決定される。なお、決定された宛先識別情報はＲＡＭ４に一時的に記憶され、図１２の処理Ｓ２０５または図１３の処理３０５での発呼の際に参照される。
【０１１５】
次に、図１２の処理Ｓ２０３、または、図１３の処理Ｓ３０３として行われる、使用網決定処理の具体的な処理手順について、図１８を参照して説明する。
【０１１６】
同図において、先ず、緊急フラグＦｅの値が１か否か判断する（判断Ｓ５０１）。緊急フラグＦｅの値が１の場合（判断Ｓ５０１のＹｅｓ）、つまり、図１４に示した宛先決定処理で緊急用宛先登録テーブル４ａに登録された宛先識別情報が発呼すべき宛先として指定された場合には、図１１の網選択モード設定処理による網選択モード（電話網（回線交換網）、パケット網、自動）の設定に関わらず、電話網（回線交換網）に決定する（処理Ｓ５０２）。
【０１１７】
これにより、緊急を要する宛先については、ユーザによる網選択モードの設定を無視して、電話網（回線交換網）による確実な通信で緊急の連絡が行えるようなる。
【０１１８】
緊急フラグＦｅの値が０の場合（判断Ｓ５０１のＮｏ）、つまり、図１４に示した宛先決定処理で緊急用宛先登録テーブル４ａに特に登録されていない宛先識別情報が発呼すべき宛先として指定された場合には、図１１の処理手順により、網選択モードのユーザによる現在の設定状態を反映している、変数Ｍの値が１（電話網）か否かを判断する（判断Ｓ５０３）。
【０１１９】
変数Ｍの値が１の場合には（判断Ｓ５０３のＹｅｓ）、電話網（回線交換網）に決定する（処理Ｓ５０２）。
【０１２０】
これにより、ユーザが低コストな通信よりも、確実な通信を望む等して、電話網の使用を望んだ場合には、その望み通りに、電話網（回線交換網）を使用した確実な通信を行うことができる。
【０１２１】
変数Ｍの値が１でない場合には（判断Ｓ５０３のＮｏ）、さらに、変数Ｍの値が２（パケット網）か否（Ｍ＝０（自動））かを判断する（判断Ｓ５０４）。
【０１２２】
変数Ｍの値が２の場合には（判断Ｓ５０４のＹｅｓ）、パケット網に決定する（処理Ｓ５０７）。
【０１２３】
これにより、ユーザが、確実な通信よりも、低コストな通信を望む等して、パケット網の使用を望んだ場合には、その望み通りに、パケット網を使用した低コストな通信を行うことができる。
【０１２４】
変数Ｍの値が０（自動）の場合には（判断Ｓ５０４のＮｏ）、図１０に示したようにＲＡＭ４に記憶された電話網使用宛先登録テーブル４ｃと、図１４の宛先決定処理により決定された宛先識別情報とを照合する（処理Ｓ５０５）。
【０１２５】
図１９に、電話網使用宛先登録テーブル４ｃの具体的な内容について示す。
【０１２６】
同図において、テーブル４ｃは、管理番号に対応した宛先識別情報の集まりとして構成されている。このテーブル４ｃに登録された宛先への発呼時には電話網（回線交換網）を使用する。
【０１２７】
つまり、処理Ｓ５０５での照合の結果、登録されている場合は（判断Ｓ５０６のＹｅｓ）、電話網（回線交換網）に決定する（処理Ｓ５０２）。
【０１２８】
登録されていない場合は（判断Ｓ５０６のＮｏ）、パケット網に決定する（処理Ｓ５０７）。
【０１２９】
これにより、電話網（回線交換網）使用と明示的に登録されている宛先については、電話網（回線交換網）による確実な通信で行えるようなる。
【０１３０】
なお、以上説明した図１８の使用回線決定処理では、使用回線決定の判断を階層化したが、各判断を単独で適用するようにしてもよい。
【０１３１】
つまり、緊急の宛先として登録されていれば、電話網（回線交換網）を使用、それ以外の宛先はパケット網使用と単純化してもよい。また、電話網（回線交換網）またはパケット網のいずれを発呼時に使用するかをユーザに設定させて、その設定に応じてのみ、発呼時の使用通信網を決定するようにしてもよい。また、電話網使用宛先登録テーブルに登録されているか否かに応じてのみ、発呼時の使用通信網を決定するようにしてもよい。
【０１３２】
図１８に示した使用回線決定処理には第１と第２の２通りの変型例が考えられる。
【０１３３】
その２通りの変型例のうちの第１の変型例について先ず説明する。
【０１３４】
その第１の変型例では、図１０に示したＲＡＭ４の記憶内容のうちの、電話網使用宛先登録テーブル４ｃに替えて、図２０に示すように、パケット網使用宛先登録テーブル４ｄを記憶している。なお、パケット網使用宛先登録テーブル４ｄは、「パケット網使用宛先登録手段」に相当する。
【０１３５】
その前提で、図２１に示す使用回線決定処理を行う。
【０１３６】
つまり、同図において、先ず、緊急フラグＦｅの値が１か否か判断する（判断Ｓ６０１）。緊急フラグＦｅの値が１の場合（判断Ｓ６０１のＹｅｓ）、つまり、図１４に示した宛先決定処理で緊急用宛先登録テーブル４ａに登録された宛先識別情報が発呼すべき宛先として指定された場合には、図１１の網選択モード設定処理による網選択モード（電話網（回線交換網）、パケット網、自動）の設定に関わらず、電話網（回線交換網）に決定する（処理Ｓ６０２）。
【０１３７】
これにより、緊急を要する宛先については、ユーザによる網選択モードの設定を無視して、電話網（回線交換網）による確実な通信で緊急の連絡が行えるようなる。
【０１３８】
緊急フラグＦｅの値が０の場合（判断Ｓ６０１のＮｏ）、つまり、図１４に示した宛先決定処理で緊急用宛先登録テーブル４ａに特に登録されていない宛先識別情報が発呼すべき宛先として指定された場合には、図１１の処理手順により、網選択モードのユーザによる現在の設定状態を反映している、変数Ｍの値が１（電話網）か否かを判断する（判断Ｓ６０３）。
【０１３９】
変数Ｍの値が１の場合には（判断Ｓ６０３のＹｅｓ）、電話網（回線交換網）に決定する（処理Ｓ６０２）。
【０１４０】
これにより、ユーザが低コストな通信よりも、確実な通信を望む等して、電話網の使用を望んだ場合には、その望み通りに、電話網（回線交換網）を使用した確実な通信を行うことができる。
【０１４１】
変数Ｍの値が１でない場合には（判断Ｓ６０３のＮｏ）、さらに、変数Ｍの値が２（パケット網）か否（Ｍ＝０（自動））かを判断する（判断Ｓ６０４）。
【０１４２】
変数Ｍの値が２の場合には（判断Ｓ６０４のＹｅｓ）、パケット網に決定する（処理Ｓ６０７）。
【０１４３】
これにより、ユーザが、確実な通信よりも、低コストな通信を望む等して、パケット網の使用を望んだ場合には、その望み通りに、パケット網を使用した低コストな通信を行うことができる。
【０１４４】
変数Ｍの値が０（自動）の場合には（判断Ｓ６０４のＮｏ）、図２０に示したようにＲＡＭ４に記憶されたパケット網使用宛先登録テーブル４ｄと、図１４の宛先決定処理により決定された宛先識別情報とを照合する（処理Ｓ６０５）。
【０１４５】
図２２に、パケット網使用宛先登録テーブル４ｄの具体的な内容について示す。
【０１４６】
同図において、テーブル４ｄは、管理番号に対応した宛先識別情報の集まりとして構成されている。このテーブル４ｄに登録された宛先への発呼時にはパケット網を使用する。
【０１４７】
つまり、処理Ｓ６０５での照合の結果、登録されている場合は（判断Ｓ６０６のＹｅｓ）、パケット網に決定する（処理Ｓ６０７）。登録されていない場合は（判断Ｓ６０６のＮｏ）、電話網（回線交換網）に決定する（処理Ｓ６０２）。
【０１４８】
これにより、パケット網使用と明示的に登録されている宛先については、パケット網による低コストな通信を行えるようなる。
【０１４９】
次に、第２の変型例について説明する。
【０１５０】
その第２の変型例では、参照するテーブルは特にない。
【０１５１】
その前提で、図２３に示す使用回線決定処理を行う。なお、図２３の処理手順は、「ＶｏＩＰ端末宛先指定判断手段」に相当する処理を含む。
【０１５２】
つまり、同図において、先ず、緊急フラグＦｅの値が１か否か判断する（判断Ｓ７０１）。緊急フラグＦｅの値が１の場合（判断Ｓ７０１のＹｅｓ）、つまり、図１４に示した宛先決定処理で緊急用宛先登録テーブル４ａに登録された宛先識別情報が発呼すべき宛先として指定された場合には、図１１の網選択モード設定処理による網選択モード（電話網（回線交換網）、パケット網、自動）の設定に関わらず、電話網（回線交換網）に決定する（処理Ｓ７０２）。
【０１５３】
これにより、緊急を要する宛先については、ユーザによる網選択モードの設定を無視して、電話網（回線交換網）による確実な通信で緊急の連絡が行えるようなる。
【０１５４】
緊急フラグＦｅの値が０の場合（判断Ｓ７０１のＮｏ）、つまり、図１４に示した宛先決定処理で緊急用宛先登録テーブル４ａに特に登録されていない宛先識別情報が発呼すべき宛先として指定された場合には、図１１の処理手順により、網選択モードのユーザによる現在の設定状態を反映している、変数Ｍの値が１（電話網）か否かを判断する（判断Ｓ７０３）。
【０１５５】
変数Ｍの値が１の場合には（判断Ｓ７０３のＹｅｓ）、電話網（回線交換網）に決定する（処理Ｓ７０２）。
【０１５６】
これにより、ユーザが低コストな通信よりも、確実な通信を望む等して、電話網の使用を望んだ場合には、その望み通りに、電話網（回線交換網）を使用した確実な通信を行うことができる。
【０１５７】
変数Ｍの値が１でない場合には（判断Ｓ７０３のＮｏ）、さらに、変数Ｍの値が２（パケット網）か否（Ｍ＝０（自動））かを判断する（判断Ｓ７０４）。
【０１５８】
変数Ｍの値が２の場合には（判断Ｓ７０４のＹｅｓ）、パケット網に決定する（処理Ｓ７０７）。
【０１５９】
これにより、ユーザが、確実な通信よりも、低コストな通信を望む等して、パケット網の使用を望んだ場合には、その望み通りに、パケット網を使用した低コストな通信を行うことができる。
【０１６０】
変数Ｍの値が０（自動）の場合には（判断Ｓ７０４のＮｏ）、図１４の宛先決定処理により決定された宛先識別情報が「０５０」から始まる、ＶｏＩＰ端末に割り付けられているものか否かを判断する（判断Ｓ７０５）。なお、「０５０−」は、ＶｏＩＰ端末に割り付ける番号として総務省から提示されている番号である。
【０１６１】
「０５０」から始まるものである場合は（判断Ｓ７０６のＹｅｓ）、パケット網に決定する（処理Ｓ７０７）。「０５０」から始まるものでない場合は（判断Ｓ７０６のＮｏ）、電話網（回線交換網）に決定する（処理Ｓ７０２）。
【０１６２】
これにより、指定された番号からパケット網使用の端末と明らかな相手先への発呼時には、パケット網を使用したＶｏＩＰ端末同士の低コストな通信を行えるようなる。
【０１６３】
次に、通信端末装置１ａ、１ｂにおける着呼処理手順について、図２４を参照して説明する。なお、図２４の処理手順は、「通信網別着信音出力手段」に相当する処理を含む。
【０１６４】
同図において、ＣＰＵ２は、電話網からの着呼があるか、たまは、パケット網からの着呼があるかを監視している（判断Ｓ８０１のＮｏ、判断Ｓ８０２のＮｏのループ）。
【０１６５】
そして、電話網からの着呼があった場合には（判断Ｓ８０１のＹｅｓ）、図９に示したように、ＲＯＭ３に記憶されている第１着信音データ３ａを読み出して、システムバス９を介してＤ／Ａ変換器６に与えることにより、スピーカ６ｂから第１着信音を出力すると共に（処理Ｓ８０３）。音声信号切り換え手段８４により、送信信号Ｓ及び受信信号Ｒを、電話網（回線交換網）２０側に切り換える（処理Ｓ８０４）。
【０１６６】
パケット網からの着呼があった場合には（判断Ｓ８０２のＹｅｓ）、図９に示したように、ＲＯＭ３に記憶されている第２着信音データ３ｂを読み出して、システムバス９を介してＤ／Ａ変換器６に与えることにより、スピーカ６ｂから第２着信音を出力すると共に（処理Ｓ８０６）。音声信号切り換え手段８４により、送信信号Ｓ及び受信信号Ｒを、パケット網３０側に切り換える（処理Ｓ８０４）。
【０１６７】
そして、切り換えた電話網（回線交換網）２０またはパケット網３０のうちの着呼があった側の通信網を介して、通信端末装置１ａにあっては、通話を、通信端末装置１ｂにあっては、ファクシミリ通信を行う（処理Ｓ８０５）。
【０１６８】
このように、着信音を着信した通信網の種別に応じて変えることで、どちらの通信網からの着呼なのかをユーザに認識させることができる。なお、異なる着信音のパターンとしては、携帯電話で使用されるようなバイブレータの振動パターンや、音楽のメロディーの違いも含まれる。
【０１６９】
また、予め設定される着信動作としては、着信音の可聴出力動作や、通話動作、ファクシミリ通信動作だけでなく、相手電話番号あるいは名称またはＩＰアドレス等の表示、留守番電話の留守録動作、留守番電話機能のリモートコントロール動作等がある。
【０１７０】
このように、以上説明した実施の形態によれば、音声信号による通信を、パケット網を介したＶｏＩＰ通信、または、電話網などの回線交換網を介した通信のいずれか適当な方の通信網を使用して行うことができるため、回線交換網を介した通信の安定性と、パケット網を介したＶｏＩＰ通信の低コスト性を両立した音声通信が可能となる。
【０１７１】
また、以上説明した実施の形態においては、本発明を、音声信号をパケット化してやりとりするＶｏＩＰ通信に適用したが、それに限らず、例えば、電話網を介してやりとりされるＩＴＵ−Ｔ勧告Ｔ．３０に基づいた制御信号や画情報データをデジタルデータのままパケット化してインターネット等のパケット網を介したリアルタイムファクシミリ通信を可能とするＩＴＵ−Ｔ勧告Ｔ．３８に基づいたネットワークファクシミリ装置への適用も考えられる。
【０１７２】
つまり、電話網を介したＴ．３０プロトコルによるＧ３ファクシミリ通信用と、パケット網を介したＴ．３８プロトコルによるネットワークファクシミリ通信用の両方のインターフェイスを備える。
【０１７３】
そして、緊急用の宛先への発呼時には電話網を介したＴ．３０通信を行う。ユーザの使用通信網の選択に応じて電話網を介したＴ．３０通信またはパケット網を介したＴ．３８通信を行う。電話網使用と明示的に登録された宛先については、電話網を介したＴ．３０通信を行う。パケット網使用と明示的に登録された宛先については、パケット網を介したＴ．３８通信を行う。
【０１７４】
それにより、これからもしばらく続くであろう、安定性の比較的高い電話網などの回線交換網と、比較的低コストなインターネットに代表されるパケット網の併存時期に有効なファクシミリ通信端末を実現できる。
【０１７５】
【発明の効果】
請求項１に係る発明によれば、１台の通信端末装置で、電話網等の回線交換網を介した音声信号による通信と、インターネット等のパケット網を介した音声信号を内容とするパケットによる通信との両方の通信が可能となる効果が得られる。それにより、通信品質や通信の確実性を重視する場合には電話網等の回線交換網を使用し、通信費の節減を重視する場合にはインターネット等のパケット網使用するというように、通信したい相手や、その相手に伝えたい内容に応じた、通信網の使い分けが可能となる利点がある。
【０１７６】
請求項２に係る発明によれば、１台の通信端末装置で、電話網等の回線交換網を介した音声信号による通信と、インターネット等のパケット網を介した音声信号を内容とするパケットによる通信との両方の通信が可能となる効果が得られる。それにより、通信品質や通信の確実性を重視する場合には電話網等の回線交換網を使用し、通信費の節減を重視する場合にはインターネット等のパケット網使用するというように、通信したい相手や、その相手に伝えたい内容に応じた、通信網の使い分けが可能となる利点がある。
【０１７７】
請求項３に係る発明によれば、前記音声信号通信手段から入出力される音声信号が、前記回線交換網及びパケット網の双方に接続されるのではなく、いずれか一方にのみ接続されるため、接続されない側の通信網からのノイズの影響を受けることがなく、安定した通信を行うことが可能となる効果が得られる。
【０１７８】
請求項４に係る発明によれば、前記回線交換網を使用した、安定性、確実性は高いが通信費が比較的かかる通信、または、前記パケット網を使用した、安定性、確実性に比較的欠けるが通信費は比較的かからない通信のいずれの形態の通信を行うかをユーザに選択させることができるため、通信相手や、通信内容のユーザにとっての重要度等に応じた最適な通信網の選択が可能となる効果が得られる。
【０１７９】
請求項５に係る発明によれば、予め回線交換網を使用して発呼すると明示的に登録された宛先への発呼時には前記回線交換網を選択して発呼するようにしたため、安定・確実な通信が求められる重要な相手先等を予め登録しておくことで、それらの相手先との通信を安定・確実に行うことが可能となる効果が得られる。
【０１８０】
請求項６に係る発明によれば、予め緊急用と明示的に登録された宛先への発呼時には前記回線交換網を選択して発呼するようにしたため、安定・確実な通信がいっそう求められる緊急通報の相手先を予め登録しておくことで、それらの相手先との通信を安定・確実に行うことが可能となる効果が得られる。
【０１８１】
請求項７に係る発明によれば、予めパケット網を使用して発呼すると明示的に登録された宛先への発呼時には前記パケット網を選択して発呼するようにしたため、通信品質よりも通信コストの低減を優先したい相手先等を予め登録しておくことで、それらの相手先との通信を低コストで行うことが可能となる効果が得られる。
【０１８２】
請求項８に係る発明によれば、指定された宛先識別情報から相手先の端末がＶｏＩＰ端末であると明らかな場合には前記パケット網を選択して発呼するようにしたため、ＶｏＩＰ端末対ＶｏＩＰ端末の通信を確実に行うことが可能となる効果が得られる。
【０１８３】
請求項９に係る発明によれば、前記回線交換網または前記パケット網のいずれの通信網から着呼があっても正しく応答して着呼のあった側の通信網を介して相手先との通信を行うことが可能となる効果が得られる。
【０１８４】
請求項１０に係る発明によれば、着信音により、回線交換網経由の着呼かまたはパケット網経由の着呼かを区別することが可能となる効果が得られる。
【０１８５】
請求項１１に係る発明によれば、１台の通信端末装置で回線交換網を介した通話とパケット網を介した通話の両方が可能となるため、通話品質のよい回線交換網を介した通話、または、通信費の安価なパケット網を介した通話を、使用状況に応じて使い分けることが可能となる効果が得られる。
【０１８６】
請求項１２に係る発明によれば、１台の通信端末装置で回線交換網を介したファクシミリ通信とパケット網を介したファクシミリ通信の両方が可能となるため、通話品質のよい回線交換網を介したファクシミリ通信、または、通信費の安価なパケット網を介したファクシミリ通信を、使用状況に応じて使い分けることが可能となる効果が得られる。
【図面の簡単な説明】
【図１】本発明の実施の形態に通信端末装置のブロック構成について示す図である。
【図２】本発明の実施の形態に係る通信端末装置であって、通話による通信を行うものについて示す図である。
【図３】本発明の実施の形態に係る通信端末装置であって、ファクシミリ通信を行うものについて示す図である。
【図４】本発明の実施形態に係る通信端末装置の網インターフェイス手段のブロック構成について示す図である。
【図５】本発明の実施形態に係る通信端末装置の網インターフェイス手段の別のブロック構成について示す図である。
【図６】本発明の実施の形態に係る通信端末装置のＶｏＩＰ手段のブロック構成について示す図である。
【図７】本発明の実施の形態に係る通信端末装置の回線交換網インターフェイス手段のブロック構成について示す図である。
【図８】本発明の実施の形態に係る通信端末装置の操作表示部の配置構成について示す図である。
【図９】本発明の実施の形態に係る通信端末装置のＲＯＭの記憶内容について示す図である。
【図１０】本発明の実施の形態に係る通信端末装置のＲＡＭの記憶内容について示す図である。
【図１１】本発明の実施の形態に係る通信端末装置における網選択モード設定処理手順について示すフローチャートである。
【図１２】本発明の実施の形態に係る通信端末装置（通話）における発呼処理手順について示すフローチャートである。
【図１３】本発明の実施の形態に係る通信端末装置（ファクシミリ通信）における発呼処理手順について示すフローチャートである。
【図１４】宛先決定処理の具体的な処理手順について示すフローチャートである。
【図１５】図１４の処理手順における表示例について示す図である。
【図１６】緊急用宛先登録テーブルの内容について示す図である。
【図１７】一般用宛先登録テーブルの内容について示す図である。
【図１８】使用回線決定処理の具体的な処理手順について示すフローチャートである。
【図１９】電話網使用宛先登録テーブルの内容について示す図である。
【図２０】本発明の実施の形態に係る通信端末装置のＲＡＭの別の記憶内容について示す図である。
【図２１】使用回線決定処理の具体的な処理手順の別例について示すフローチャートである。
【図２２】パケット網使用宛先登録テーブルの内容について示す図である。
【図２３】使用回線決定処理の別例について示すフローチャートである。
【図２４】本発明の実施の形態に係る通信端末装置における着呼処理手順について示すフローチャートである。
【符号の説明】
１、１ａ、１ｂ  通信端末装置
２  ＣＰＵ
３  ＲＯＭ
３ａ  第１着信音データ
３ｂ  第２着信音データ
４  ＲＡＭ
４ａ  緊急用宛先登録テーブル
４ｂ  一般用宛先登録テーブル
４ｃ  電話網使用宛先登録テーブル
４ｄ  パケット網使用宛先登録テーブル
５  操作表示部
６  Ｄ／Ａ変換器
６ａ  増幅回路
６ｂ  スピーカ
７  音声信号通信手段
７ａ  ハンドセット部
７ａａ、７ａｄ  増幅回路
７ａｂ  スピーカ
７ａｃ  マイク
７ｂ  モデム
８  網インターフェイス手段
９  システムバス
１０  フック状態検出部
１１  スキャナ
１２  プロッタ
１３  符号化復号化部
２０  回線交換網
３０  パケット網
８１  回線交換網インターフェイス手段
８１ａ  ２線４線変換手段
８１ｂ  回線開閉手段
８１ｃ  着信検出手段
８１ｄ  ＤＴＭＦ信号発生部
８２  パケット網インターフェイス手段
８３  ＶｏＩＰ手段
８３ａ  呼制御手段
８３ｂ  音声パケット処理手段
８３ｃ  音声ＣＯＤＥＣ手段
８４  音声信号切り換え手段
【図１】
2004274372.tif 000003
【図２】
2004274372.tif 000004
【図３】
2004274372.tif 000005
【図４】
2004274372.tif 000006
【図５】
2004274372.tif 000007
【図６】
2004274372.tif 000008
【図７】
2004274372.tif 000009
【図８】
2004274372.tif 000010
【図９】
2004274372.tif 000011
【図１０】
2004274372.tif 000012
【図１１】
2004274372.tif 000013
【図１２】
2004274372.tif 000014
【図１３】
2004274372.tif 000015
【図１４】
2004274372.tif 000016
【図１５】
2004274372.tif 000017
【図１６】
2004274372.tif 000018
【図１７】
2004274372.tif 000019
【図１８】
2004274372.tif 000020
【図１９】
2004274372.tif 000021
【図２０】
2004274372.tif 000022
【図２１】
2004274372.tif 000023
【図２２】
2004274372.tif 000024
【図２３】
2004274372.tif 000025
【図２４】
2004274372.tif 000026